(57)【特許請求の範囲】
【請求項１】
電動送風機を内蔵する掃除機本体と、前記電動送風機からの空気を前記掃除機本体の底部に排出する排気口と、前記排気口を囲むように前記掃除機本体底部に設けられたスカート部と、前記掃除機本体に対して上下方向に回動可能に設けられた吸込ホースとを備え、前記ホースの回動中心を、掃除機本体の重心に近設させたことを特徴とする排気浮上式電気掃除機。
【請求項２】
前記回動部材の回動中心を、掃除機本体の重心位置の掃除機本体の側断面への投射位置としたことを特徴とする請求項１記載の排気浮上式電気掃除機。
【発明の詳細な説明】
【０００１】
【発明の属する技術分野】
本発明は、電動送風機から排出される排気により掃除機本体を浮上させる排気浮上式電気掃除機に関するものである。
【０００２】
【従来の技術】
図１４は例えば特開平０６−１３３９００号公報に開示された従来の排気浮上式電気掃除機を示す側面断面図である。図において、１０１は掃除機本体であって、その内部に電動送風機１０２と集塵室１０３を有している。集塵室１０３の上流側には吸込ホース１０４が接続されており、集塵室１０３内には集塵袋１０５が装着されている。１０６は掃除機本体１０１の底部に設けられた第１排気口、１０７は掃除機本体１０１の底部に設けられた後車輪、１０８は同じく掃除機本体１０１の底部に設けられた補助ローラ、１０９は第１排気口１０６と後車輪１０７と補助ローラ１０８を取り囲むように設けられた柔軟性のある第１スカート、１１０は第１スカート１０９の外周に設けられた第２排気口である。１１１は第２排気口１１０を取り囲むように設けられた柔軟性のある第２スカートであり、第１スカート１０９よりも長く構成されている。
【０００３】
電動送風機１０２から排出された空気は、第１排気口１０９から床面に排出され、第１スカート１０９と床面で囲まれる空間に導入されることにより、圧力の高い空気層１１２となり、掃除機本体１０１を支持する。第２スカート１１３は床面に接しているため、第１スカート１０９と床面の間から流出した空気は、第２スカートから洩れ出さずに第２排気口１１０を介して掃除機本体１０１の外部と連通する排気通路１１３より外部へ排出される。
【０００４】
次に、図１５、図１６、図１７を用いて、図１４に示す従来の排気浮上式電気掃除機を使用した場合の動作を説明する。図において、１１４は吸込ホース１０４に接続された吸込パイプ、１１５は吸込パイプ１１４の先端部に設けられた吸込み口体、１１６は掃除機本体１０１の重心位置を示す点である。
【０００５】
掃除の際、吸込ホース１０４の吸込パイプ１１４との接続位置は、掃除機本体１０１との接続位置よりも高い位置にある。この状態で使用者が吸込パイプ１１４を前方に強く移動させると、図１６に示すように、瞬間的に吸込ホース１０４の根元に上斜め前方への張力Ｆが作用する。吸込ホース１０４は掃除機本体１０１の前部に水平に固着されているため、吸込ホース１０４の張力Ｆが作用する位置は、吸込ホース１０４が上方向に屈曲する位置付近となる。この吸込ホース１０４の張力Ｆが作用する位置は重心位置１１６から距離ｘだけ離れているため、張力Ｆの上方向成分の力Ｆｙによって、掃除機本体１０１は前部が上方向に持ち上げられる。
【０００６】
また、吸込ホース１０４は図１５に示すように、自重によって弛んだ状態から強く引っ張られると、図１７に示すように慣性力によって上方向に持ち上がる。この際の吸込ホース１０４に作用する上方向への力Ｆｈが、吸込ホース１０４の根元に加わるため、掃除機本体１０１の前部はさらに上方向に持ち上げられる。このように、掃除機本体１０１の前部が上方向に持ち上げられると、スカート１１１が底面から離間し、掃除機本体１０１底部の圧力の高い空気層１１２の空気が噴出する。
【０００７】
【発明が解決しようとする課題】
従来の排気浮上式電気掃除機は上記のように構成されており、掃除の際に使用者が吸込ホースを強く引っ張ると、掃除機本体の前部が持ち上がり、スカートから排気が噴出するため、床面のゴミを舞い上げるという課題があった。
【０００８】
本発明は、上記のような課題を解決するためになされたもので、掃除の際に使用者が吸込ホースを強く引っ張っても、スカートからの排気洩れのない排気浮上式電気掃除機を得ることを目的とするものである。
【０００９】
【課題を解決するための手段】
この発明に係わる電気掃除機は、電動送風機を内蔵する掃除機本体と、前記電動送風機からの空気を前記掃除機本体の底部に排出する排気口と、前記排気口を囲むように前記掃除機本体底部に設けられたスカート部と、前記掃除機本体に対して上下方向に回動可能に設けられた吸込ホースとを備え、前記ホースの回動中心を、掃除機本体の重心に近設させたものである。
【００１０】
また、前記回動部材の回動中心を、掃除機本体の重心位置の掃除機本体の側断面への投射位置としたものである。
【００１１】
【発明の実施の形態】
実施の形態１．
図１は本発明の実施の形態１に係わる排気浮上式電気掃除機本体の側面断面図、図２は同掃除機本体の外観斜視図である。図において、１は掃除機本体であり、その内部には電動送風機２と集塵室３が設けられている。４は掃除機本体１内と連通する吸込ホース、５は集塵室３に装着される集塵袋である。６は掃除機本体１の前部に設けられた接続部であり、吸込ホース４を接続する回動部材７と、掃除機本体１に設けられた固定部材８によって構成されている。また、回動部材７は固定部材８に回動自在に係合されている。９は電動送風機２から排出された空気を掃除機本体１の底部に導入する第１排気口、１０は第１排気口９を囲むように電気掃除機１の底部に設けられたスカートである。第１排気口９から排出された空気はスカート１０と床面によって囲まれる空間に導かれ、圧力の高い空気層１１となる。この空気層１１が掃除機本体１を支持するため、スカート１０と床面との摺動抵抗が小さくなり、掃除機本体１を移動させる際の操作力が軽減される。
【００１２】
１２は電動送風機２から排出された空気を直接掃除機本体１の外部に排出する第２排気口であり、第１排気口９および第２排気口１２の開口面積の設定により、空気層１１の圧力を設定できる。第２排気口１２の面積を小さく設定すると、空気層１１の圧力は高くなるため、掃除機本体１を支持する力が強くなり、掃除機本体１と床面との摺動抵抗は小さくなる。しかし、第２排気口１２の面積を小さくしすぎると、スカート１０と床面が離間して空気が洩れ出すため、第２排気口１２の面積は、スカート１０底面から空気洩れが生じない範囲内で設定することが望ましい。
【００１３】
図３、図４、図５は実施の形態１に係わる排気浮上式電気掃除機の使用時の動作説明図であり、図において１３は吸込ホース４の先に接続された吸込パイプ、１４は吸込パイプ１３の先端部に設けられた吸込み口体、１５は掃除機本体１の重心位置を示す点である。
【００１４】
掃除の際、吸込ホース４の吸込パイプ１３への接続位置は、図３のように掃除機本体１への接続位置よりも高い位置となる。このとき、回動部材７は最下限の位置となっている。この状態で使用者が吸込パイプ１３を前方にゆっくり移動させた場合、スカート１０と床面の摺動抵抗は小さいため、吸込ホース４は弛んだ状態のまま接続部６を介して掃除機本体１に前方向への力が作用し、掃除機本体１がほとんど傾斜することなく前方に移動する。しかしながら、図３の状態から、使用者が吸込パイプ１３を前方に強く移動させると、回動部材７は吸込ホース４の上斜め前方への張力Ｆを受け、吸込ホース４の根元の動きに瞬時に追従して上方向に回動する。したがって、吸込ホース４の張力Ｆは、図４に示すように、瞬間的に回動部材７の回動中心に作用する。このとき、回動部材７の回動中心は重心位置１５から距離ｘだけ離れているため、張力Ｆの上方向成分の力Ｆｙによって、掃除機本体１の前端部は上方向に持ち上げられるが、吸込ホース４が水平に固定されている場合に比べて距離ｘが短いため、掃除機本体１の前端部が持ち上げられる度合いは小さい。
【００１５】
また、吸込ホース４は図３に示すように、自重によって弛んだ状態から強く引っ張られると、図５に示すように慣性力によって上方向に持ち上がる。このとき、回動部材７は吸込ホース４の根元の動きに瞬時に追従して、さらに上方向に回動するため、掃除機本体１の前端部に上方向の力が伝わりにくくなる。したがって、掃除機本体１の前端部が上方向に持ち上がりにくくなるため、スカート１０の底面からの空気の噴出が軽減され、安定した掃除機本体１の移動が可能となる。
【００１６】
実施の形態１によれば、掃除機本体１に上下に回動可能な接続部６を設けることにより、吸込ホース４が強く引っ張られても、掃除機本体１前部分が上方向へ振れることを抑えることができる。したがって、スカート１０底面からの空気の噴出を軽減でき、安定した掃除機本体１の移動が可能となる。
【００１７】
実施の形態２．
図６は本発明の実施の形態２に係わる排気浮上式電気掃除機本体の側面断面図、図７は同掃除機本体の外観斜視図、図８は同掃除機本体の側面図、図９は図６のＡ−Ａ断面図、図１０は図９のＢ−Ｂ断面図である。図において、実施の形態１と同一部分には同一符号を付し、説明を省略する。実施の形態２では、集塵室３が電動送風機２の上に設けられており、集塵袋５が装着されている。吸気ホース４の接続部６は、掃除機本体１の側面に設けられた固定部材８と、固定部材８に回動可能に係合する回動部材７によって構成されており、集塵室３と連通している。回動部材７の回動中心は、重心位置１５の掃除機本体１の側断面への投射位置に合うように構成されている。１６は一端が回動部材７に固着され、他端が掃除機本体１の側面に回動部材７と同一の回動中心で回動可能に係合された支持部材であり、回動部材７と連動して上下に回動する。１７は支持部材１６を回動可能に支持する枢支部材である。
【００１８】
図１１、図１２、図１３は実施の形態２に係わる排気浮上式電気掃除機の使用時の動作説明図である。
【００１９】
掃除の際、吸込ホース４の吸込パイプ１３への接続位置は、図１１のように掃除機本体１への接続位置よりも高い位置となる。このとき、回動部材７は最下限の位置となっている。この状態で使用者が吸込パイプ１３を前方にゆっくり移動させた場合、スカート１０と床面の摺動抵抗は小さいため、吸込ホース４は弛んだ状態のまま接続部６を介して掃除機本体１に前方向への力が作用し、掃除機本体１がほとんど傾斜することなく前方に移動する。
【００２０】
しかしながら、図１１の状態から、使用者が吸込パイプ１３を前方に強く移動させると、回動部材７および支持部材１６が吸込ホース４の上斜め前方への張力Ｆを受け、吸込ホース４の根元の動きに瞬時に追従して上方向に回動する。したがって、吸込ホース４の張力Ｆは、図１２に示すように、瞬間的に回動部材７の回動中心、すなわち掃除機本体１の側断面の重心位置１５に作用する。したがって、掃除機本体１は前端部が上方向に持ち上げられることなく、吸込ホース４の張力Ｆの方向への力を受けて前方に移動する。このとき、掃除機本体１の重量よりも張力Ｆの上方向成分の力Ｆｙが大きくならなければ、掃除機本体１は持ち上がらずに移動する。
【００２１】
また、吸込ホース４は図１１に示すように、自重によって弛んだ状態から強く引っ張られると、図１３に示すように慣性力によって上方向に持ち上がるが、回動部材７および支持部材１６が吸込ホース４の根元の動きに瞬時に追従して上方向に回動するため、この吸込ホース４による上方向への力によって、掃除機本体１の前端部が上方向に持ち上がることがない。したがって、スカート１０の底面からの空気の噴出がなく、安定した掃除機本体１の移動が可能となる。
【００２２】
実施の形態２によれば、吸込ホース４の接続部６の回動中心を、掃除機本体１の重心１５に近設させたので、吸込ホース４が強く引っ張られても、掃除機本体１前部分が上方向への振れることを抑えることができる。したがって、スカート１０から空気が噴出してしまうことを防止でき、安定した掃除機本体１の移動が可能となる。
【００２３】
なお、本実施の形態２において、回動部材７の回動中心が重心位置１５の掃除機本体１の側断面への投射位置に合うように構成しているが、近傍に位置させることにより、同様の効果を得ることができる。
【００２４】
【発明の効果】
以上のように本発明によれば、電動送風機を内蔵する掃除機本体と、前記電動送風機からの空気を前記掃除機本体の底部に排出する排気口と、前記排気口を囲むように前記掃除機本体底部に設けられたスカート部と、前記掃除機本体に対して上下方向に回動可能に設けられた吸込ホースとを備え、前記ホースの回動中心を、掃除機本体の重心に近設させたので、吸込ホースが強く引っ張られても、掃除機本体前部の上方向への振れがなく、スカート部底面からの空気の噴出を軽減できる。したがって、安定した掃除機本体の移動が可能な排気浮上式電気掃除機を得ることができる。
【００２５】
また、前記回動部材の回動中心を、掃除機本体の重心位置の掃除機本体の側断面への投射位置としたので、吸込ホースが強く引っ張られても、掃除機本体前部の上方向への振れがなく、スカート部から空気が噴出してしまうことを防止でき、安定した掃除機本体の移動が可能となる。
【図面の簡単な説明】
【図１】  本発明実施の形態１に係る排気浮上式電気掃除機の側面断面図である。
【図２】  本発明実施の形態１に係る排気浮上式電気掃除機の外観斜視図である。
【図３】  本発明実施の形態１に係る排気浮上式電気掃除機の動作説明図である。
【図４】  本発明実施の形態１に係る排気浮上式電気掃除機の動作説明図である。
【図５】  本発明実施の形態１に係る排気浮上式電気掃除機の動作説明図である。
【図６】  本発明実施の形態２に係る排気浮上式電気掃除機の側面断面図である。
【図７】  本発明実施の形態２に係る排気浮上式電気掃除機の外観斜視図である。
【図８】  本発明実施の形態２に係る排気浮上式電気掃除機の側面図である。
【図９】  本発明実施の形態２に係る排気浮上式電気掃除機の図６のＡ−Ａ断面図である。
【図１０】  本発明実施の形態２に係る排気浮上式電気掃除機の図９のＢ−Ｂ断面図である。
【図１１】  本発明実施の形態２に係る排気浮上式電気掃除機の動作説明図である。
【図１２】  本発明実施の形態２に係る排気浮上式電気掃除機の動作説明図である。
【図１３】  本発明実施の形態２に係る排気浮上式電気掃除機の動作説明図である。
【図１４】  従来の排気浮上式電気掃除機の側面断面図である。
【図１５】  従来の排気浮上式電気掃除機の使用時の動作説明図である。
【図１６】  従来の排気浮上式電気掃除機の使用時の動作説明図である。
【図１７】  従来の排気浮上式電気掃除機の使用時の動作説明図である。
【符号の説明】
１  掃除機本体、２  電動送風機、３  集塵室、４  吸込ホース、
５  集塵袋、６  接続部、７  回動部材、８  固定部材、９  第１排気口、
１０  スカート、１１  空気層、１２  第２排気口、１３  吸込パイプ、
１４  吸込み口体、１５  重心位置、１６  支持部材、１７  枢支部材。
【図１】
0003846556.tif 000002
【図２】
0003846556.tif 000003
【図３】
0003846556.tif 000004
【図４】
0003846556.tif 000005
【図５】
0003846556.tif 000006
【図６】
0003846556.tif 000007
【図７】
0003846556.tif 000008
【図８】
0003846556.tif 000009
【図９】
0003846556.tif 000010
【図１０】
0003846556.tif 000011
【図１１】
0003846556.tif 000012
【図１２】
0003846556.tif 000013
【図１３】
0003846556.tif 000014
【図１４】
0003846556.tif 000015
【図１５】
0003846556.tif 000016
【図１６】
0003846556.tif 000017
【図１７】
0003846556.tif 000018